(57)【特許請求の範囲】
【請求項１】
いずれかの縁部に液晶が注入された後封入された液晶注入口を有する液晶パネルと、
前記液晶パネルの前記液晶注入口が位置される縁部を除いた縁部中の何れか一部分以上に設置されて、前記液晶パネルと他の部材とを相互接着させる接着部材と、
を包含することを特徴とする液晶表示装置。
【請求項２】
前記接着部材は、両面接着テープであることを特徴とする請求項１記載の液晶表示装置。
【請求項３】
前記液晶パネルは、四角平面状に形成されることを特徴とする請求項１記載の液晶表示装置。
【請求項４】
前記接着部材は、前記液晶パネルの相互対向する両辺の縁部にそれぞれ設置されることを特徴とする請求項１記載の液晶表示装置。
【請求項５】
前記接着部材は、前記液晶パネルの前記液晶注入口が位置される辺の縁部を除いた全ての辺の縁部に設置されることを特徴とする請求項１記載の液晶表示装置。
【請求項６】
前記接着部材は、前記液晶パネルの前記液晶注入口を除いた全ての縁部に設置されることを特徴とする請求項１記載の液晶表示装置。
【請求項７】
前記液晶パネルは、前記接着部材を介してバックライトと接着されることを特徴とする請求項１記載の液晶表示装置。
【請求項８】
前記液晶パネルは、その一方側に反射板を備えることを特徴とする請求項７記載の液晶表示装置。
【請求項９】
前記接着部材は、前記反射板と前記バックライトとを接着させることを特徴とする請求項８記載の液晶表示装置。
【請求項１０】
前記液晶パネル及び前記バックライトは、それらの位置が固定されるように支持手段に装着され、前記接着部材中一部分以上は、前記液晶パネル及びバックライトの外周縁よりも外側に突出して前記支持手段に付着されることを特徴とする請求項７記載の液晶表示装置。
【請求項１１】
前記支持手段は、携帯用端末機に設置可能であることを特徴とする請求項１０記載の液晶表示装置。
【請求項１２】
前記液晶パネルの上方側に設置された偏光板を追加に包含することを特徴とする請求項１記載の液晶表示装置。
【請求項１３】
液晶パネルに液晶を注入するための液晶注入部を液晶パネルの一方側に設置する段階と、
液晶を液晶パネルに注入して前記液晶注入部を封入する段階と、
前記液晶パネルの下部に反射板を位置させる段階と、
前記反射板の下部にバックライトを位置させる段階と、
前記液晶注入部が位置された部分を除いた縁部中の何れか一部分以上に接着部材によって前記反射板および前記バックライトを相互付着させる段階と、
を包含することを特徴とする液晶表示装置の組立方法。
【請求項１４】
前記接着部材は、両面接着テープであることを特徴とする請求項１３記載の液晶表示装置の組立方法。
【発明の詳細な説明】
【０００１】
【発明の属する技術分野】
本発明は、液晶表示装置及びそれを利用した携帯用端末機に係るもので、詳しくは、外部の衝撃によって液晶パネルが損傷されることを低減し得る、液晶表示装置及びそれを利用した携帯用端末機に関するものである。
【０００２】
【従来の技術】
一般に、液晶表示装置（Ｌｉｑｕｉｄ  Ｃｒｙｓｔａｌ  Ｄｉｓｐｌａｙ：ＬＣＤ）は、携帯用端末機やモニターなどの電子機器に設けられる表示装置であって、液体と固体間の中間状態物質の液晶を、電極が形成された２枚のガラス基板間に注入した後、電界を加えることで文字や映像を表示させる装置である。
【０００３】
このような従来の液晶表示装置は、図６に示したように、フォルダー型携帯用端末機１などに具備されて、端末機の操作状態や使用状態または文字や映像情報などを表示するように構成されている。
【０００４】
特に、液晶表示装置１０を構成する液晶パネルは、自ら発光することができないため後方側にバックライトが設けられ、該バックライトから発光される光が透過されることによって液晶パネル上に表示される文字や画像情報を一層明確に認識し得るように構成されている。
【０００５】
このような前記バックライトは、主に、電界発光素子（Ｅｌｅｃｔｒｏ  ｌｕｍｉｎｅｓｃｅｎｃｅ：ＥＬ）を利用して液晶パネルの全面を直接照光する直下方式と、液晶パネルの一方側または両方側に光源を設け、導光板を介して拡散される光を利用して液晶パネルに照光するエッジ方式と、に大別され、特に、携帯用端末機などの小型電子機器では、直下方式のバックライトを有する液晶表示装置が主に用いられている。
【０００６】
前記直下方式の液晶表示装置１０においては、図７に示したように、端末機のケース（未図示）内に固定されるフレーム１７に挿入設置されることで、図６に示したような透視窓５を介して文字や映像情報を表示するようになっている。
【０００７】
このような前記液晶表示装置１０には液晶パネル１１が具備され、該液晶パネル１１には、出力信号が入力されるようにＦＰＣ（Ｆｌｅｘｉｂｌｅ  Ｐｒｉｎｔ  ｃｉｒｃｕｉｔ）１２が連結されて、該ＦＰＣの後面には前記液晶パネル１１側から入射された光を反射させる反射板１３が一体に付着されている。
【０００８】
そして、前記反射板１３が付着された前記液晶パネル１１の後面には、平板状に形成されて該液晶パネル１１に光を照射するバックライト１５が配置される。ここで、前記反射板１３は、前記バックライト１５から発光される光を前記液晶パネル１１方向に透過させる機能を行なう。
【０００９】
且つ、前記液晶パネル１１の後面に付着される前記反射板１３及びバックライト１５は、両面接着テープ２０により相互付着されるので、前記液晶パネル１１、反射板１３及びバックライト１５は、相互一体に付着されて液晶パネル組立体を形成し、該液晶パネル組立体が前記フレーム１７の内部に挿入され組立られるようになっている。
【００１０】
特に、前記両面接着テープ２０は、前記バックライト１５から照射された光を干渉せずにも前記液晶パネル１１とバックライト１５間の付着力を維持し得るように、前記液晶パネル１１に一体に付着される前記反射板１３とバックライト１５間の対向する両辺の縁部１３ｐ、１５ｐにそれぞれ付着される。
【００１１】
詳しくは、前記液晶パネル１１には、２枚のガラス基板間に液晶を注入した後封入した液晶注入口１４が形成されており、前記両面接着テープ２０は、前記液晶パネル１１の液晶注入口１４が位置される辺の縁部と、その反対側の際部と、にそれぞれ付着される。
【００１２】
また、１対の前記両面接着テープ２０中何れか一方側のテープは、図８に示したように、一部分２０ａが前記バックライト１５の外郭面よりも更に外方側に突出して形成されて、前記フレーム１７の内面１７ａに付着される。
【００１３】
一方、前記液晶パネル１１の前方側には、図７に示したように、前記液晶パネル１１を透過した光を前方側に透過させる偏光板１９が配置される。
【００１４】
【発明が解決しようとする課題】
然るに、このような従来の液晶表示装置においては、両面接着テープ２０が液晶パネル１１の液晶注入口１４が形成された辺の縁部及びその反対側の縁部にそれぞれ設置されるため、前記液晶パネル１１に外部衝撃が与えられる場合、前記液晶注入口１４の形成された辺にギャップの発生が容易になって、該ギャップ発生部分から滲み（ｂｌｅｅｄｉｎｇ）現象が発生して斑点（ｓｐｏｔ）Ｓが発生され、よって、正常なディスプレーを行なうことができないという不都合な点があった。
【００１５】
即ち、液晶パネル１１において、液晶注入口１４が形成された辺は、封入物質によって他の部分と強度が異なるようになるので、両面接着テープ２０を介して伝達される衝撃が前記液晶注入口１４側に集中され、その結果、他の部分よりも滲み現象が甚だしくなるという不都合な点があった。
【００１６】
このような滲み現象は、図９に示したように、例えば、衝撃によって上方側基板１１ａ及び下方側基板１１ｂがそれぞれ“Ａ”方向及び“Ｂ”方向に瞬間的に開かれて隙間が発生すると、両基板１１ａ、１１ｂ間に充填された液晶１１ｃから前記隙間に真空気泡が形成されて、入力される表示信号とは拘わらず、部分的に斑点模様の滲み（ｂｌｅｅｄｉｎｇ）現象が発生され、酷い場合は前記滲み現象によって文字情報や画像情報が正確に表現されないという不都合な点があった。
【００１７】
特に、携帯用端末機を落としたときは、図１０に示したように、衝撃によって液晶パネル１１の液晶注入口１４が位置される側に滲み現象が甚だしく発生するという不都合な点があった。
【００１８】
本発明は、このような従来の課題に鑑みてなされたもので、液晶注入口が位置される部分を除いた他の部分に両面接着テープを設置することで、液晶パネルに衝撃が与えられた場合、液晶注入口が位置される部分に衝撃が集中することを防止して、滲み発生を最小化し得る、液晶表示装置及びそれを利用した携帯用端末機を提供することを目的とする。
【００１９】
【課題を解決するための手段】
本発明の液晶表示装置は、一方側に液晶が注入された後封入された液晶注入口を有する液晶パネルと、前記液晶パネルの液晶注入口が位置される部分を除いた縁部中の何れか一部分以上に設置されて、前記液晶パネルと他の部材とを相互付着させる接着部材と、を包含することを特徴とする。
【００２０】
前記接着部材は、両面接着テープであることを特徴とする。
【００２１】
前記液晶パネルは、四角平面状に形成されることを特徴とする。
【００２２】
前記接着部材は、前記液晶パネルの相互対向する両辺の縁部にそれぞれ設置されることを特徴とする。
【００２３】
前記接着部材は、前記液晶パネルの前記液晶注入口が位置される辺の縁部を除いた全ての縁部に設置されることを特徴とする。
【００２４】
前記接着部材は、前記液晶パネルの前記液晶注入口を除いた全ての縁部に設置されることを特徴とする。
【００２５】
前記液晶パネルは、前記接着部材を介してバックライトと接着されることを特徴とする。
【００２６】
前記液晶パネルは、その一方側に反射板を備えることを特徴とする。
【００２７】
前記接着部材は、前記反射板とバックライトとを接着させることを特徴とする。
【００２８】
前記液晶パネル及びバックライトは、それらの位置が固定されるように支持手段に装着され、前記接着部材中一部分以上は、前記液晶パネル及びバックライトの外周縁よりも外側に突出して前記支持手段に付着されることを特徴とする。
【００２９】
前記支持手段は、携帯用端末機に設置可能であることを特徴とする。
【００３０】
前記液晶パネルの上方側に設置された偏光板を追加に包含することを特徴とする。
【００３１】
本発明の液晶表示装置の組立方法は、液晶パネルに液晶を注入するための液晶注入部を液晶パネルの一方側に設置する段階と、液晶を液晶パネルに注入して前記液晶注入部を封入する段階と、前記液晶パネルの下部に反射板を位置させる段階と、前記反射板の下部にバックライトを位置させる段階と、前記液晶注入部が位置された部分を除いた縁部中の何れか一部分以上に接着部材によって前記反射板とバックライトを相互付着させることを特徴とする。
【００３２】
前記接着部材は、両面接着テープであることを特徴とする。
【００３３】
このような目的を達成するため、本発明に係る液晶表示装置においては、一方側に液晶が注入された後封入された液晶注入口を有する液晶パネルと、前記液晶パネルの液晶注入口が位置される部分を除いた縁部中の何れか一部分以上に設置されて、前記液晶パネルと他の部材とを相互付着させる接着部材と、を包含することを特徴とする。
【００３４】
前記接着部材は、両面接着テープで、前記液晶パネルは、四角平面状に形成される。
【００３５】
そして、前記接着部材は、前記液晶パネルの相互対向する両辺の縁部にそれぞれ設置される。
【００３６】
且つ、前記接着部材は、前記液晶パネルの前記液晶注入口が位置される辺の縁部を除いた全ての縁部に設置される。
【００３７】
また、前記接着部材は、前記液晶パネルの前記液晶注入口を除いた全ての縁部に設置される。
【００３８】
前記液晶パネルは、前記接着部材を介してバックライトと接着される。
【００３９】
前記液晶パネルは、その一方側に反射板を備え、前記接着部材は、前記反射板とバックライトとを接着させる。
【００４０】
前記液晶パネル及びバックライトは、それらの位置が固定されるように支持手段に装着され、前記接着部材中一部分以上は、前記液晶パネル及びバックライトの外周縁よりも外側に突出して前記支持手段に付着される。
【００４１】
そして、前記目的を達成するため、本発明に係る携帯用端末機においては、ケースの一方側に具備される送受信手段と、ケースの外部に露出されて使用者により操作される入力操作手段と、前記送受信手段に連結されて信号が入出力されると同時に、前記入力操作手段からの入力信号によって駆動信号を出力する制御手段と、前記制御手段の出力信号に従って動作する液晶表示駆動手段と、一方側に液晶注入口が形成され、前記ケースの内側に位置されて、前記液晶表示駆動手段によって文字または画像情報が表示される液晶パネルと、前記液晶パネルの液晶注入口を除いた縁部中、少なくとも何れか一部分以上に設置された接着部材と、を包含して構成されることを特徴とする。
【００４２】
【発明の実施の形態】
以下、本発明の実施の形態に対し、図面を用いて説明する。
【００４３】
本発明に係る携帯用端末機においては、図１に示したように、フォルダー４１側に具備される送受信部４３と、本体４２の上面に露出されて使用者により操作される入力操作部４４と、前記送受信部４３に連結されて送受信信号が入出力されると同時に、前記入力操作部４４からの入力信号によって制御駆動信号を出力する制御部４５と、該制御部４５の出力信号に従って動作する液晶表示駆動部４７と、前記フォルダー４１側に具備され、前記液晶表示駆動部４７の動作によって文字または画像情報が表示される液晶表示装置４９と、により構成されている。
【００４４】
そして、前記液晶表示装置４９の第１実施形態においては、図２及び図３に示したように、前記携帯用端末機４０のフォルダー４１内に固定されたフレーム７０に装着されて、前記フォルダー４１の透視窓を介して文字や映像情報を表示し得るように形成されている。
【００４５】
詳しくは、前記液晶表示装置４９は、四角平面状の液晶パネル５０が具備され、該液晶パネル５０には、前記液晶表示駆動部４７からの出力信号が入力されるようにＦＰＣ５５が連結され、前記液晶パネル５０側から入射された光を前方側に反射させる反射板６０が前記液晶パネル５０の後方面に一体に付着されている。
【００４６】
そして、前記反射板６０が付着された前記液晶パネル５０の後方面には、四角平面状に形成されて前記液晶パネル５０に光を照射するバックライト６５が配置され、前記液晶パネル５０の後面を構成する前記反射板６０及びバックライト６５は、１対の両面接着テープ８０により相互付着されている。前記反射板６０とバックライと６５を結合させるための結合手段としては、液体状態、固体状態、またはプラズマ状態の接着剤、封印剤、及び締結具などがあり、ボルト、ネジ、またはリベットなども使用することができる。
【００４７】
即ち、前記両面接着テープ８０は、前記反射板６０とバックライト６５間の、前記液晶パネル５０の液晶注入口５１が位置される辺を除いて相互対向する両辺の各縁部６０ｐ、６５ｐにそれぞれ付着されて、前記液晶パネル５０とバックライト６５とを相互接着させている。
【００４８】
ここで、前記両面接着テープ８０は、上述したように前記液晶パネル５０の両方辺に１対が設置された状態で、設計条件によって、前記液晶パネル５０の注入口５１が位置される辺の反対側の縁部に１個を追加設置することもできる。即ち、前記液晶パネル５０の注入口５１が形成された辺を除いた残り全ての縁部に付着することが可能で、引いては、前記液晶パネル５０の液晶注入口５１を除いた該液晶注入口５１が配置される辺の縁部にも設置することができる。勿論、この場合は、前記液晶注入口５１と対向する縁部に前記両面接着テープ８０を設置することが好ましい。
【００４９】
また、前記両面接着テープ８０は、前記液晶パネル５０及びバックライト６５の各辺の長さよりも短く形成されて、前記液晶パネル５０の各角部分まで接着しないように形成することが好ましい。
【００５０】
このように前記反射板６０を包含する前記液晶パネル５０及びバックライト６５は、前記両面接着テープ８０により一体に接着されて液晶パネル組立体を構成し、該液晶パネル組立体は前記フレーム７０の内部に挿入して組立される。
【００５１】
図中、説明符号７５は、液晶パネル５０を透過した光を前方側に透過させるための偏光板として、前記液晶パネル５０の前方側に具備されて使用される。
【００５２】
また、本発明に係る液晶表示装置の第２実施形態においては、図４及び図５に示したように、液晶パネル５０’の後面に反射板６０’が付着され、このように液晶パネル５０’の後面に付着された反射板６０’の後面には１対の両面接着テープ８０’によってバックライト６５’が接着される。
【００５３】
ここで、前記両面接着テープ８０’は、前記第１実施形態と同様に、前記液晶パネル５０’の液晶注入口５１’が配置されない両辺の各縁部に前記反射板６０’及びバックライト６５’が相互接着されるように付着され、特に、前記１対の両面接着テープ８０’中何れか１つは、前記液晶パネル５０’及びバックライト６５’の外周縁よりも外方側に突出された部分８０ｂ’が形成されてフレーム７０’の内面７０ａ’に接着される。
【００５４】
従って、前記両面接着テープ８０’により前記液晶パネル５０’とバックライト６５’とが一体に接着されて液晶パネル組立体を構成し、該液晶パネル組立体が前記フレーム７０’の内部に挿入されると同時に、前記バックライト６５’の外郭面よりも更に突出した部分を有する前記両面接着テープ８０’により前記フレーム７０’に接着支持される。
【００５５】
【発明の効果】
以上説明したように、本発明に係る液晶表示装置においては、液晶パネルの液晶注入口が形成された辺を除いた残りの辺の縁部には両面接着テープが設置され、相対的に外部衝撃による影響を大いに受ける液晶注入口が形成された辺は両面接着部に拘束されない。
【００５６】
従って、本発明に係る液晶表示装置が具備された携帯用端末機に落下及び温度変化による衝撃や所定の撓み荷重が加えられても、液晶注入口が位置されて相対的に脆い部分は拘束されないため、液晶注入口が位置される部分では上方側基板と下方側基板とが開かれる現象の発生が低減され、よって、滲み現象の発生が最小化されて、液晶パネルの耐久性を向上し得るという効果がある。
【００５７】
且つ、本発明に係る携帯用端末機においては、外部の衝撃にも液晶パネルの損傷が最小化され、よって、液晶パネルにより行われる表示部の性能を維持して携帯用端末機の信頼性を向上し得るという効果がある。
【図面の簡単な説明】
【図１】本発明に係る液晶表示装置が備えられた携帯用端末機を示した構成図である。
【図２】本発明に係る液晶表示装置の第１実施形態を示した分解斜視図である。
【図３】図２の液晶パネルとバックライトの付着状態を示した斜視図である。
【図４】本発明に係る液晶表示装置の第２実施形態を示した分解斜視図である。
【図５】図４の液晶パネルとバックライトの付着状態を示した斜視図である。
【図６】従来携帯用端末機を示した斜視図である。
【図７】従来液晶表示装置を示した分解斜視図である。
【図８】図７の液晶パネルとバックライトの付着状態を示した斜視図である。
【図９】従来、落下衝撃による液晶パネルの変化を示した状態図である。
【図１０】従来、落下衝撃によって液晶パネルに滲み現象が発生する状態を示した説明図である。
【符号の説明】
５０  液晶パネル
５１  液晶注入口
６０  反射板
６５  バックライト
８０  両面接着テープ
【図１】
0003787117.tif 000002
【図２】
0003787117.tif 000003
【図３】
0003787117.tif 000004
【図４】
0003787117.tif 000005
【図５】
0003787117.tif 000006
【図６】
0003787117.tif 000007
【図７】
0003787117.tif 000008
【図８】
0003787117.tif 000009
【図９】
0003787117.tif 000010
【図１０】
0003787117.tif 000011